(57)【要約】本発明は、ヘッド部の厚みを薄くすることによって、奥歯の高い清掃実感を得ると共に、口腔内での振動による不快感を軽減することを可能とした電動歯ブラシ用取替ブラシを提供する。本発明の電動歯ブラシ用取替ブラシは、電動歯ブラシのハンドル部を含む歯ブラシ本体に対して着脱自在に取り付けられるネック部（３）及びヘッド部（４）を含む電動歯ブラシ用取替ブラシ（１Ｂ）であって、ヘッド部（４）の最大厚み（Ｔ）が２〜４ｍｍであり、ネック部（３）の最小厚み（Ｄ）が３〜５ｍｍであり、且つ、Ｄ≧Ｔの関係を満足し、植毛面（４ａ）が設けられた前面側とは反対側のヘッド部（４）及びネック部（３）の背面側において、ヘッド部（４）がネック部（４）よりも背面側から前面側に向かう方向に偏倚して設けられている。
2019107489.tif 000002
【特許請求の範囲】
【請求項１】
ハンドル部と、前記ハンドル部の先端から延長されたネック部と、前記ネック部の先端に設けられたヘッド部とを備え、電気的な駆動により振動を発生させながら、前記ヘッド部の植毛面に植設された複数の毛束により口腔内を清掃する電動歯ブラシの前記ハンドル部を含む歯ブラシ本体に対して着脱自在に取り付けられる前記ネック部及び前記ヘッド部を含む電動歯ブラシ用取替ブラシであって、
前記ヘッド部の最大厚みＴが２〜４ｍｍであり、前記ネック部の最小厚みＤが３〜５ｍｍであり、且つ、Ｄ≧Ｔの関係を満足し、
前記植毛面が設けられた前面側とは反対側の前記ヘッド部及び前記ネック部の背面側において、前記ヘッド部が前記ネック部よりも背面側から前面側に向かう方向に偏倚して設けられていることを特徴とする電動歯ブラシ用取替ブラシ。
【請求項２】
前記ヘッド部の背面と前記ネック部の背面との間に段差Ｈが設けられ、
前記段差Ｈが０．５〜３ｍｍであることを特徴とする、
請求項１に記載の電動歯ブラシ用取替ブラシ。
【請求項３】
前記ヘッド部が前記ネック部に対して背面側から前面側に向かう方向に傾斜して設けられ、
前記植毛面に対して平行な前記ヘッド部の軸線ラインと、前記ハンドル部に対する着脱方向と平行な前記ネック部の軸線ラインとの為す角度が１〜５°であることを特徴とする、
請求項１又は２に記載の電動歯ブラシ用取替ブラシ。
【請求項４】
前記ハンドル部の先端から軸線方向に突出して設けられた支軸の先端に取り付けられた状態において、前記ヘッド部の先端と前記支軸の先端との距離が４０〜６０ｍｍであることを特徴とする、
請求項１〜３の何れか一項に記載の電動歯ブラシ用取替ブラシ。
【請求項５】
前記植毛面が設けられた側の前記ヘッド部及び前記ネック部の前面側において、前記ヘッド部が前記ネック部よりも背面側から前面側に向かう方向に偏倚して設けられていることを特徴とする、
請求項１〜４の何れか一項に記載の電動歯ブラシ用取替ブラシ。
【請求項６】
前記ヘッド部及び前記ネック部の背面側において、前記ネック部の先端から前記ヘッド部の背面へと一部繋がる振動抑制部を有することを特徴とする、
請求項１〜５の何れか一項に記載の電動歯ブラシ用取替ブラシ。
【請求項７】
ハンドル部と、前記ハンドル部の先端から延長されたネック部と、前記ネック部の先端に設けられたヘッド部とを備え、電気的な駆動により振動を発生させながら、前記ヘッド部の植毛面に植設された複数の毛束により口腔内を清掃する電動歯ブラシであって、
前記ハンドル部を含む歯ブラシ本体に対して、前記ネック部及び前記ヘッド部を含む取替ブラシが着脱自在に取り付けられる構造を有し、
前記取替ブラシとして、請求項１〜６の何れか一項に記載の電動歯ブラシ用取替ブラシを備えることを特徴とする電動歯ブラシ。
【発明の詳細な説明】
【技術分野】
【０００１】
本発明は、電動歯ブラシ用取替ブラシ及び電動歯ブラシに関する。
本願は、２０１７年１１月３０日に、日本に出願された特願２０１７−２３１１７７号に基づき優先権を主張し、その内容をここに援用する。
【背景技術】
【０００２】
電動歯ブラシは、通常の手磨きによる歯ブラシでは得られない高い清掃実感が得られる（例えば、下記特許文献１を参照）。このため、歯磨きにおいて電動歯ブラシの使用が有効とされている。【０００３】
電動歯ブラシは、反転振動式と音波振動式とに大別される。このうち、音波振動式は、モータに直結した偏芯錘が高速回転することで発生する振動をヘッド部に伝達し、毛束を振動させる仕組みとなっている（例えば、下記特許文献２を参照）。また、一般的な電動歯ブラシでは、電池やモータを収容したハンドル部に対して、ネック部及びヘッド部を含む取替ブラシが着脱自在に取り付けられる取替構造となっている。【０００４】
このような音波振動式の電動歯ブラシでは、毛束の先端（刷毛の毛先）が高速且つ微小に振動することで、歯面、歯間及び歯頸部に対する清掃実感の向上が期待される。一方、通常の手磨きによる歯ブラシでは、口腔内の操作性を高めつつ、奥歯などの狭い箇所の清掃実感を確保するために、ヘッド部の厚みを薄くすることが行われている（例えば、下記特許文献３を参照）。【０００５】
しかしながら、音波振動式の電動歯ブラシにおいて、ヘッド部の厚みを薄くした場合、ヘッド部の植毛面に対して垂直な方向の振動幅が大きくなり、使用者が口腔内で振動を不快に感じることがあった。具体的に、口腔内で不快を感じる主な部位としては、ヘッド部の背面が接触する口腔組織（頬の内側など）が挙げられる。特に、奥歯などの狭い箇所では、ヘッド部の背面が口腔組織に接触し易くなるため、より不快に感じる傾向にあった。【０００６】
また、ヘッド部の厚みを薄くしたことによる振動幅の増大は、ヘッド部の背面だけでなく、ヘッド部の前面（植毛面）に植設された毛束の口腔組織（歯茎など）に対する接触にも影響する。すなわち、歯茎に毛束の一部が接触すると、使用者の毛束の当て方によっては歯茎に伝わる振動によって不快に感じることがあった。【０００７】
したがって、ヘッド部の厚みを薄くした電動歯ブラシでは、上述した「奥歯の清掃実感」と「振動に伴う不快感の軽減」とを両立させることが求められている。
【先行技術文献】
【特許文献】
【０００８】
【特許文献１】実用新案登録第３１４８３３７号公報
【特許文献２】特開平８−２５７０４３号公報
【特許文献３】特開２０１１−４８５２号公報
【発明の概要】
【発明が解決しようとする課題】
【０００９】
本発明は、このような従来の事情に鑑みて提案されたものであり、ヘッド部の厚みを薄くすることによって、奥歯の高い清掃実感を得ると共に、口腔内での振動による不快感を軽減することを可能とした電動歯ブラシ用取替ブラシ、並びにそのような電動歯ブラシ用取替ブラシを備えた電動歯ブラシを提供することを目的とする。
【課題を解決するための手段】
【００１０】
上記目的を達成するために、本発明は以下の手段を提供する。
すなわち、請求項１に係る発明は、ハンドル部と、前記ハンドル部の先端から延長されたネック部と、前記ネック部の先端に設けられたヘッド部とを備え、電気的な駆動により振動を発生させながら、前記ヘッド部の植毛面に植設された複数の毛束により口腔内を清掃する電動歯ブラシの前記ハンドル部を含む歯ブラシ本体に対して着脱自在に取り付けられる前記ネック部及び前記ヘッド部を含む電動歯ブラシ用取替ブラシであって、前記ヘッド部の最大厚みＴが２〜４ｍｍであり、前記ネック部の最小厚みＤが３〜５ｍｍであり、且つ、Ｄ≧Ｔの関係を満足し、前記植毛面が設けられた前面側とは反対側の前記ヘッド部及び前記ネック部の背面側において、前記ヘッド部が前記ネック部よりも背面側から前面側に向かう方向に偏倚して設けられていることを特徴とする電動歯ブラシ用取替ブラシである。【００１１】
また、請求項２に係る発明は、前記ヘッド部の背面と前記ネック部の背面との間に段差Ｈが設けられ、前記段差Ｈが０．５〜３ｍｍであることを特徴とする請求項１に記載の電動歯ブラシ用取替ブラシである。【００１２】
また、請求項３に係る発明は、前記ヘッド部が前記ネック部に対して背面側から前面側に向かう方向に傾斜して設けられ、前記植毛面に対して平行な前記ヘッド部の軸線ラインと、前記ハンドル部に対する着脱方向と平行な前記ネック部の軸線ラインとの為す角度が１〜５°であることを特徴とする請求項１又は２に記載の電動歯ブラシ用取替ブラシである。【００１３】
また、請求項４に係る発明は、前記ハンドル部の先端から軸線方向に突出して設けられた支軸の先端に取り付けられた状態において、前記ヘッド部の先端と前記支軸の先端との距離が４０〜６０ｍｍであることを特徴とする請求項１〜３の何れか一項に記載の電動歯ブラシ用取替ブラシである。【００１４】
また、請求項５に係る発明は、前記植毛面が設けられた側の前記ヘッド部及び前記ネック部の前面側において、前記ヘッド部が前記ネック部よりも背面側から前面側に向かう方向に偏倚して設けられていることを特徴とする請求項１〜４の何れか一項に記載の電動歯ブラシ用取替ブラシである。【００１５】
また、請求項６に係る発明は、前記ヘッド部及び前記ネック部の背面側において、前記ネック部の先端から前記ヘッド部の背面へと一部繋がる振動抑制部を有することを特徴とする請求項１〜５の何れか一項に記載の電動歯ブラシ用取替ブラシである。【００１６】
また、請求項７に係る発明は、ハンドル部と、前記ハンドル部の先端から延長されたネック部と、前記ネック部の先端に設けられたヘッド部とを備え、電気的な駆動により振動を発生させながら、前記ヘッド部の植毛面に植設された複数の毛束により口腔内を清掃する電動歯ブラシであって、前記ハンドル部を含む歯ブラシ本体に対して、前記ネック部及び前記ヘッド部を含む取替ブラシが着脱自在に取り付けられる構造を有し、前記取替ブラシとして、請求項１〜６の何れか一項に記載の電動歯ブラシ用取替ブラシを備えることを特徴とする電動歯ブラシである。
【発明の効果】
【００１７】
以上のように、本発明によれば、ヘッド部の厚みを薄くすることによって、奥歯の高い清掃実感を得ると共に、口腔内での振動による不快感を軽減することを可能とした電動歯ブラシ用取替ブラシ、並びにそのような電動歯ブラシ用取替ブラシを備えた電動歯ブラシを提供することが可能である。
【図面の簡単な説明】
【００１８】
【図１】本発明の一実施形態に係る電動歯ブラシ用取替ブラシを備えた電動歯ブラシの構成を示す側面図である。
【図２】図１に示す電動歯ブラシ用取替ブラシの構成を示す側面図である。
【図３】図１に示す電動歯ブラシ用取替ブラシの構成を示す正面図である。
【図４】図１に示す電動歯ブラシ用取替ブラシの構成を示す背面図である。
【図５】図１に示す電動歯ブラシ用取替ブラシのヘッド部を植毛面側から見た正面図である。
【図６】図５中に示す線分Ｘ−Ｘによるヘッド部の断面図である。
【図７】植毛面における毛束の別の配置例を示す正面図である。
【図８】図７に示すヘッド部の植毛面に毛束が植設された状態を示す側面図である。
【図９】植毛面における毛束の別の配置例を示す正面図である。
【発明を実施するための形態】
【００１９】
以下、本発明を適用した電動歯ブラシ用取替ブラシ及び電動歯ブラシについて、図面を参照して詳細に説明する。
なお、以下の説明で用いる図面は、特徴をわかりやすくするために、便宜上特徴となる部分を模式的に示している場合があり、各構成要素の寸法比率などが実際と同じであるとは限らない。また、場合によって毛束の図示を省略し、毛束が植設される植毛穴のみを示すものとする。
【００２０】
また、以下の説明では、後述するヘッド部４の植毛面４ａが設けられた側を取替ブラシ１Ｂ（電動歯ブラシ１）の前面（正面）側とし、ヘッド部４の植毛面４ａが設けられた側とは反対側を取替ブラシ１Ｂ（電動歯ブラシ１）の背面（後面）側として説明する。
【００２１】
本発明の一実施形態として、例えば図１に示す電動歯ブラシ１は、ハンドル部２と、ハンドル部２の一端（先端）から軸線方向に延長されたネック部３と、ネック部３の先端に設けられたヘッド部４とを備え、電気的な駆動により振動を発生させながら、ヘッド部４の植毛面４ａに植設された複数の毛束５により口腔内を清掃するものである。
【００２２】
また、本実施形態の電動歯ブラシ１は、ハンドル部２を含む歯ブラシ本体１Ａに対して、ネック部３及びヘッド部４を含む電動歯ブラシ用取替ブラシ（以下、取替ブラシという。）１Ｂが着脱自在に取り付けられる取替構造となっている。
【００２３】
歯ブラシ本体１Ａを構成するハンドル部２は、使用者が把持する部分であり、その形状については、特に限定されないものの、例えば略円柱状を為している。ハンドル部２の内部には、図示を省略するものの、内部電源となる電池（例えば単３又は単４の乾電池）が収容される電池収容部と、電池から供給される電気によって回転駆動されるモータと、モータに直結した偏芯錘が配置されている。
【００２４】
歯ブラシ本体１Ａは、モータの駆動により偏芯錘が高速回転することで振動を発生させる音波振動式を採用しており、ハンドル部２の先端から軸線方向に突出して設けられた支軸６に振動を伝達する仕組みとなっている。
【００２５】
モータの回転数については、６０００〜１６０００ｒｐｍであることが好ましく、７０００〜１５０００ｒｐｍであることが更に好ましい。モータの回転数が６０００ｒｐｍ未満になると、電動歯ブラシ１による清掃実感が不足することになる。一方、モータの回転数が１６０００ｒｐｍを超えると、振動による不快感が助長されることになる。
【００２６】
歯ブラシ本体１Ａは、図示を省略するものの、ハンドル部２の底部に着脱自在に取り付けられたキャップを取り外すことで、電池収容部に対して電池の交換が可能となっている。また、歯ブラシ本体１Ａでは、ハンドル部２の前面に設けられた電源ボタンを使用者が操作することで、電池からモータへの電力の供給／遮断（電源ＯＮ／電源ＯＦＦ）を切り替えることが可能となっている。
【００２７】
なお、歯ブラシ本体１Ａについては、上述した電池（一次電池）を内部電源として用いる構成に限らず、例えばニッケルカドミウム電池やニッケル水素電池、リチウムイオン電池などのバッテリ（二次電池）を内部電源として用いる構成としてもよい。内部電源としてバッテリを搭載する場合は、外部電源（商用電源）から充電器を介して内部電源への充電が可能とすればよい。この場合、無接点充電方式を用いた方が使用性が高く且つ安全性の点で望ましい。
【００２８】
また、歯ブラシ本体１Ａでは、上述した電源ボタンの操作によって電源のＯＮ／ＯＦＦを切り替える構成の他にも、例えば操作ボタンの操作によって振動の強／弱を切り替えたりする構成としてもよい。
【００２９】
取替ブラシ１Ｂは、図１〜図４に示すように、ネック部３とヘッド部４とが熱可塑性樹脂により一体に形成されたものであり、歯ブラシ本体１Ａの支軸６にネック部３の基端部を接続することによって、歯ブラシ本体１Ａの先端に一体に取り付けられている。ネック部３の基端部には、歯ブラシ本体１Ａの支軸６が差し込まれる軸穴（図示せず）が軸線方向に亘って設けられている。なお、歯ブラシ本体１Ａに対して取替ブラシ１Ｂを着脱自在に取り付ける取替構造については、特に限定されるものではなく、従来より公知の構造を採用することができる。
【００３０】
電動歯ブラシ１では、歯ブラシ本体１Ａに取替ブラシ１Ｂが取り付けられた状態において、支軸６から伝わる振動をネック部３を介してヘッド部４へと伝達し、毛束５を振動させることが可能となっている。
【００３１】
ここで、取替ブラシ１Ｂ（ネック部３及びヘッド部４）には、機械的強度の高い樹脂（例えば、ポリアセタール（ＰＯＭ）やポリプロピレン（ＰＰ）など）を用いることが好ましい。これにより、上述した軸穴に対する支軸６の差込強度が強固となり、ヘッド部４の厚みを薄くした場合でも、ヘッド部４の植毛面４ａに対して垂直な方向の振動幅が増えることを抑制できる。
【００３２】
また、これらネック部３及びヘッド部４を形成する樹脂の曲げ弾性率（ＪＩＳ  Ｋ  ７１７１）は、１０００〜３０００ＭＰａであることが好ましく、１５００〜３０００ＭＰａであることがより好ましく、２０００〜３０００ＭＰａであることが更に好ましい。
【００３３】
ネック部３は、基端側から先端側に向かって漸次縮径された先細形状を有している。これにより、ネック部３の先端が最も縮径された部分となっている。また、ネック部３の形状については、奥歯を磨き易くするため、このネック部３の少なくとも前面３ａ側を緩やかな曲面（カーブ）形状としてもよい。
【００３４】
ネック部３の最小厚みＤは、３〜５ｍｍであることが好ましく、３．５〜４．５ｍｍであることが更に好ましい。なお、ネック部３の厚みとは、ネック部３の前面３ａと背面３ｂとの間の厚みを言う。したがって、ネック部３の最小厚みＤは、最も縮径されたネック部３の先端の厚み（図２における、当該部位を形成する背面３ｂ側の点Ｐを基準に、ネック部３の延伸方向に対して垂直方向の断面の厚み）を採用している。
【００３５】
ネック部３の最小厚みＤが３ｍｍ未満であると、ヘッド部４の植毛面４ａに対して垂直な方向の振動幅が大きくなり、ネック部３からヘッド部４に伝わる振動も大きくなるため、振動に伴う不快感が増すことになる。一方、ネック部３の最小厚みＤが５ｍｍを超えると、歯磨きの際に口唇の開きが大きくなり、口腔内の操作性が確保できず、奥歯の清掃実感が低下することになる。
【００３６】
ヘッド部４は、図５及び図６に示すように、複数の毛束５により口腔内を刷掃する部分であり、刷掃時に複数の毛束５を振動させることによって、歯面や歯頸部、歯間部などの細部における歯垢除去効果を高めることが可能となっている。
【００３７】
ヘッド部４は、口腔内を刷掃し易い形状や大きさであればよく、その形状について特に限定されないものの、一般的に略直方体状を為すと共に、角部が丸みを帯びた形状を有している。また、ヘッド部４は、基端側から先端側に向かって漸次幅が狭くなる形状としてもよい。ヘッド部４の植毛面４ａ及びその背面４ｂは、互いに平坦な面を形成している。
【００３８】
なお、ヘッド部４の背面４ｂは、基端側から先端側に向かって漸次厚みが薄くなるテーパー形状であってもよく、ヘッド部４の背面４ｂ側の中央が盛り上がった丸みのある形状であってもよい。
【００３９】
本実施形態のヘッド部４は、正面視において、先端からネック部３に向かうに従い幅方向に広がり、次いで同等の幅で延び、次いで幅方向に狭まり、ネック部３との境界Ｒに至る形状を有している。
【００４０】
境界Ｒは、ヘッド部４の正面視形状における、ネック部３よりの隅切を形成する曲線の終点、すなわち、隅切を形成する曲線の曲がり方向が変化する位置である。より具体的には、正面視でのヘッド部４におけるネック部３よりの隅切部分の幅が狭くなる両縁を形成する曲線又は直線から、幅が広がる曲線若しくは直線、又は幅が同じ直線に変化する位置である。また、境界Ｒは、正面視でネック部３がハンドル部２に向かうに従って幅が広くなる電動歯ブラシ１の場合、正面視でヘッド部４とネック部３における最も幅が小さい位置と一致する。ネック部３の正面視における最小幅は、３〜５ｍｍであることが好ましく、３．５〜４．５ｍｍであることがより好ましい。
【００４１】
ヘッド部４の植毛面４ａには、同一径の植毛穴７が千鳥状に複数並んで配置されている。毛束５は、複数本の刷毛（フィラメント）を束ねて二つ折りにし、その間に平線と呼ばれる金属製の抜止め具（図示せず）を挟んで植毛穴７に打ち込むことによって、各植毛穴７に植設されている。なお、図５では、毛束５の図示を省略し、植毛穴７のみを図示している。
【００４２】
植毛穴７は、千鳥状に複数並んで配置された構成に限らず、格子状に複数並んで配置された構成とすることも可能である。また、植毛穴７の内径は、植毛される毛束５の本数と相関があるので、毛束５の硬さや使用感に影響するが、植毛する際に用いる毛束５の太さや毛丈によって使用感はある程度調整可能ではあるが、一般に、１．０〜３．０ｍｍの範囲が好ましい。
【００４３】
毛束５は、その刷毛の材質について特に限定されないものの、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を挙げることができる。また、これらの樹脂材料を複数組み合わせて用いてもよく、例えば芯鞘構造などのように、芯部と鞘部で異なる樹脂材料を用いることもできる。
【００４４】
刷毛の横断面形状は、通常は円形であるが、そのような形状に限定されるものではなく、例えば、楕円形、三角形、四角形、六角形、星形、三つ葉のクローバー形、四つ葉のクローバー形など任意の形状とすることができる。
【００４５】
毛束５の毛丈は、ヘッド部４の植毛面４ａから、大人用で８ｍｍ〜１３ｍｍ、子供用で６ｍｍ〜９ｍｍとすることが好ましい。刷毛の太さ（最大径）は、口腔内の使用性や使用感の点から、０．１２ｍｍ〜０．２６ｍｍであることが好ましい。また、使用感や、刷掃感、清掃効果、耐久性など考慮して、太さの異なる複数本の刷毛を任意に組み合わせて用いてもよい。
【００４６】
毛束５の植毛方法としては、上述した刷毛の毛束５を二つ折りにし、その間に平線を挟んで植毛穴７に植設する平線植毛法以外にも、毛束５の下端をヘッド部４となる溶融樹脂中に圧入して固定する熱融着法や、毛束５の下端を加熱して溶融塊を形成した後に、金型のキャビティ内に溶融樹脂を充填してヘッド部５と一体に成形するインモールド法などを用いることができる。
【００４７】
図３に示すように、ヘッド部４の幅Ｗは、６〜１６ｍｍが好ましく、８〜１５ｍｍがより好ましく、１０〜１２ｍｍが更に好ましい。上限値以下であれば、振動による不快感を伴うことなく、奥歯などの狭い箇所にも挿入可能である。なお、ヘッド部４の幅Ｗは小さければ小さいほど、ヘッド部４の振動にともなう違和感は軽減する。また、下限値以上であれば、十分量の毛束５が植設可能になるため、奥歯などの清掃実感が確保できる。さらに、ヘッド部４が振動しても、しっかりとブラシを清掃部位にあてることができ、安定した口腔清掃を行うことができる。
【００４８】
図３に示すように、ヘッド部４の長さＶは、２０〜３５ｍｍが好ましく、２０〜３０ｍｍがより好ましい。上限値以下であれば、ヘッド部４の振動にともなうヘッド先端の変位が大きくなく、違和感の軽減に繋がる。また、下限値以上であれば、十分量の毛束５が植設可能になるため、奥歯などの清掃実感が確保できる。
【００４９】
ヘッド部４の幅Ｗが１２〜１６ｍｍである場合は、ヘッド部４の長さＶを２８〜３３ｍｍにすることで、ヘッド部４の振動にともなう違和感を軽減することができる。例えば、幅の広いワイドヘッドの場合は、ヘッド部４の長さＶを短くすることで、清掃部位を広範囲に効率良く磨く利点を確保しながら、前記違和感をより軽減することができる。
【００５０】
ところで、本実施形態の取替ブラシ１Ｂでは、ヘッド部４を厚みを薄くすることによって、ヘッド部４の最大厚みＴがネック部３の最小厚みＤと同じか（Ｄ＝Ｔ）又はネック部３の最小厚みＤよりも小さくなっている（Ｄ＞Ｔ）。
【００５１】
ヘッド部の最大厚みＴは、２〜４ｍｍであることが好ましく、２．５〜３．５ｍｍであることが更に好ましい。なお、ヘッド部４の厚みとは、ヘッド部４の前面（植毛面）４ａと背面４ｂとの間の厚みを言う。ヘッド部４を厚みを薄くすることで、口腔内の操作性を高め、奥歯などの狭い箇所の清掃実感を確保することが可能となる。
【００５２】
ヘッド部４及びネック部３の背面側において、ヘッド部４は、ネック部３よりも背面側から前面側に向かう方向に偏倚（シフト）して設けられている。すなわち、本実施形態の取替ブラシ１Ｂでは、図２に示すように、ヘッド部４の背面４ｂに沿った軸線方向の延長ラインＬ１が、ネック部３の背面３ｂの先端Ｐを通り且つ延長ラインＬ１に対して平行な延長ラインＬ２よりも、前面側に位置している。
【００５３】
なお、ネック部３の先端Ｐは、ネック部３の背面３ｂが背面側から前面側に向かう方向へと偏倚するときの開始点（変曲点）を表す。すなわち、ネック部３の先端Ｐは、ネック部３の背面３ｂを形成する直線又は曲線から、ヘッド部４の背面４ｂを形成する直線又は曲線に向かって、その傾きが変化する位置にある。また、ヘッド部４の背面４ｂが曲線を形成する場合、延長ラインＬ１は、ヘッド部４の最大厚みＴを形成する背面４ｂ側の点を通り且つ植毛面４ａに対して平行な延長ラインを採用すればよい。
【００５４】
また、ヘッド部４の背面４ｂとネック部３の背面３ｂとの間には、段差Ｈが設けられている。なお、段差Ｈは、延長ラインＬ２に対する延長ラインＬ１の偏倚（シフト）量に相当する。
【００５５】
段差Ｈは、０．５〜３．０ｍｍであることが好ましく、０．５〜２．０ｍｍであることがより好ましい。これにより、ヘッド部４の背面４ｂと口腔組織（頬の内側など）との間に空間を確保することができ、ヘッド部４の背面４ｂの口腔組織への接触が抑制され、振動による不快感を軽減することが可能である。
【００５６】
これに対して、段差Ｈが０．５ｍｍ未満であると、上述したヘッド部４の背面４ｂ側をネック部３の背面３ｂ側よりも薄くしたことによる効果が不十分となる。一方、段差Ｈが２．０ｍｍを超えると、ハンドル部２の軸直に対して、ヘッド部４が前面側に過度に位置することとなり、口腔内での操作性が低下し、奥歯の清掃実感が低下する。
【００５７】
また、ヘッド部４の先端と支軸６の先端との距離Ａは、４０〜６０ｍｍであることが好ましく、４５〜５５ｍｍであることがより好ましい。なお、距離Ａとは、ヘッド部４の先端と支軸６の先端とを結ぶ線分の長さを言う。距離Ａが４０ｍｍ未満になると、ヘッド部４に振動が強く伝わるため、過度な振動による不快感に繋がる。一方、距離Ａが６０ｍｍを超えると、ヘッド部４に伝わる振動が弱くなるため、清掃実感が不十分となる。
【００５８】
本実施形態の取替ブラシ１Ｂでは、ヘッド部４の背面４ｂ側の厚みを薄くすることで、刷掃時のヘッド部４の背面４ｂと口腔組織（頬の内側など）との間に空間を確保できる。
これにより、ヘッド部４の背面４ｂの口腔組織への接触が抑制され、振動による不快感を軽減することが可能である。
【００５９】
また、ヘッド部４及びネック部３の前面側において、ヘッド部４は、ネック部３よりも背面側から前面側に向かう方向に偏倚（シフト）して設けられている。すなわち、本実施形態の取替ブラシ１Ｂでは、図２に示すように、ヘッド部４の植毛面４ａに沿った軸線方向の延長ラインＬ３が、ネック部３の前面３ａの先端Ｑを通り且つ延長ラインＬ３に対して平行な延長ラインＬ４よりも、前面側に位置している。なお、先端Ｑは、ネック部３の前面３ａが背面側から前面側に向かう方向へと偏倚するときの開始点（変曲点）を表す。
【００６０】
また、延長ラインＬ４に対する延長ラインＬ３の偏倚（シフト）量は、０ｍｍ超且つ１ｍｍ以下であることが好ましく、０ｍｍ超且つ０．５ｍｍ以下であることがより好ましい。本実施形態の取替ブラシ１Ｂでは、ヘッド部４の植毛面４ａを前面側に偏倚させることで、偏倚させない場合よりもネック部３からヘッド部４への振動の伝達を抑制できる。
【００６１】
これにより、ヘッド部４の厚みを薄くした場合でも、ヘッド部４の植毛面４ａに対して垂直な方向の振動幅を小さくでき、口腔内での振動による不快感を軽減することが可能である。一方、偏倚（シフト）量が必要以上に大きくなると、ハンドル部２の軸直に対して、ヘッド部４が過度に離れるため、口腔内での操作性が低下し、奥歯の清掃実感が低下する。
【００６２】
なお、本実施形態の取替ブラシ１Ｂでは、上述したヘッド部４の植毛面４ａがネック部３の前面３ａよりも背面側から前面側に向かう方向に偏倚（シフト）して設けられた構成となっているが、このような構成に必ずしも限定されるものではない。場合によって、ヘッド部４の植毛面４ａとネック部３の前面３ａとを連続的（ストレート）に接続された構成とすることも可能である。
【００６３】
また、ヘッド部４は、ネック部３に対して背面側から前面側に向かう方向に傾斜して設けられている。すなわち、本実施形態の取替ブラシ１Ｂでは、図２に示すように、植毛面４ａに対して平行なヘッド部４の軸線ラインＴ１（延長ラインＬ３の延長線）が、ハンドル部２に対する着脱方向と平行なネック部３の軸線ラインＴ２（軸穴の中心軸に沿った延長線）に対して、前面側へと傾斜している。
【００６４】
この場合、ヘッド部４の軸線ラインＴ１とネック部３の軸線ラインＴ２との為す角度（以下、ヘッド部４の傾きという。）αは、１〜５°であることが好ましく、２〜４°であることが更に好ましい。これにより、ヘッド部４の背面４ｂの口腔組織（頬の内側など）への接触を抑制するだけでなく、奥歯や歯の裏側の清掃実感を高めることができる。
【００６５】
これに対して、ヘッド部４の傾きαが１°未満になると、上述した効果が不十分となるだけでなく、ブラシ本体１Ａからの振動がヘッド部２に伝わり易くなるため、植毛面４ａと垂直方向の振動幅が大きくなり、使用時の振動に伴う違和感が助長される。一方、ヘッド部４の傾きαが５°を超えると、ヘッド部４の奥歯への到達性が低下するだけでなく、ヘッド部４の位置がハンドル部２の軸直から過度に離れるため、植毛面４ａと垂直方向の振動幅が大きくなり、使用時の振動に伴う違和感が助長される。
【００６６】
なお、本実施形態の取替ブラシ１Ｂでは、上述したヘッド部４がネック部３に対して背面側から前面側に向かう方向に傾斜して設けられた構成となっているが、このような構成に必ずしも限定されるものではない。場合によって、ヘッド部４の軸線ラインＴ１とネック部３の軸線ラインＴ２とが平行（α＝０°）となる構成とすることも可能である。
【００６７】
本実施形態の取替ブラシ１Ｂは、図２及び図４に示すように、ヘッド部４及びネック部３の背面側において、ネック部３の先端からヘッド部４の背面４ｂへと一部繋がる振動抑制部８を有している。
【００６８】
振動抑制部８は、ヘッド部４及びネック部３と一体に形成されると共に、ネック部３の背面３ｂの先端Ｐからヘッド部４の背面４ｂに向かって漸次幅が狭く且つ漸次高さが低くなる形状を有している。また、振動抑制部８は、上述したヘッド部４の背面４ｂとネック部３の背面３ｂとの間を滑らかに接続する傾斜面を形成している。また、振動抑制部８の先端は、後述する外側植毛領域Ｓ２の最も後端（基端）側に位置する第２の毛束５ｂの後端を通る幅方向のライン上に位置している。
【００６９】
振動抑制部８は、ヘッド部４の植毛面４ａに対して垂直方向の過度な振動を抑制する。
また、上述したヘッド部４の背面４ｂ側の厚みを薄くしたまま、この振動抑制部８によってヘッド部４とネック部３との連結部分の強度を高めることが可能である。これにより、ヘッド部４の背面４ｂの口腔組織（頬の内側など）への接触を抑制しながら、振動による不快感を軽減することが可能である。
【００７０】
ヘッド部４の植毛面４ａには、図５に示すように、その中央部分に複数の植毛穴１１がヘッド部４の長さ方向に並ぶことによって構成される中央植毛領域Ｓ１と、この中央植毛領域Ｓ１を挟んだ両側に複数の植毛穴１１がヘッド部４の長さ方向に並ぶことによって構成される外側植毛領域Ｓ２とが設けられている。
【００７１】
なお、本実施形態では、例えば、ヘッド部４の植毛面４ａに千鳥状に並ぶ複数の植毛穴１１のうち、植毛面４ａの中央部分においてヘッド部４の長さ方向に並ぶ３列の植毛穴１１によって中央植毛領域Ｓ１が構成されている。一方、この中央植毛領域Ｓ１を挟んだ両側において、それぞれヘッド部４の長さ方向に並ぶ２列の植毛穴１１によって一対の外側植毛領域Ｓ２が構成されている。
【００７２】
中央植毛領域Ｓ１の各植毛穴１１には、図６に示すように、毛先に向かうに従って径が細くなるテーパー状の刷毛（以下、第１のテーパー用毛という。）によって構成される毛束５（以下、第１の毛束５ａという。）が植設されている。一方、外側植毛領域Ｓ２の各植毛穴１１には、第１のテーパー用毛よりも先端径の細いテーパー状の刷毛（以下、第２のテーパー用毛という。）によって構成される毛束５（以下、第２の毛束５ｂという。）が植設されている。
【００７３】
また、中央植毛領域Ｓ１の先端側及び後端側に位置する植毛穴７ａ，７ｂには、それぞれ第２の毛束５ｂが植設されている。これにより、ヘッド部４の植毛面４ａには、これら中央植毛領域Ｓ１の先端側及び後端側に植設された第２の毛束５ｂと、外側植毛領域Ｓ２に植設された第２の毛束５ｂとが、中央植毛領域Ｓ１に植設された第１の毛束５ａの周囲を囲むように配置されている。すなわち、ヘッド部４の植毛面４ａには、外側植毛領域Ｓ２に植設された複数の第２の毛束５ｂと共に、中央植毛領域Ｓ１の周囲に複数の第２の毛束５ｂがヘッド部４の周方向に並んで植設された外周植毛領域Ｓ３が設けられている。
【００７４】
さらに、中央植毛領域Ｓ１に植設された第１の毛束５ａの植毛密度は、外側植毛領域Ｓ２に植設された第２の毛束５ｂの植毛密度よりも高く設定されている。なお、ここで言う「植毛密度」とは、［植毛穴の面積の総和］÷［植毛面積］で与えられる値のことであり、「植毛穴の面積の総和」とは、各植毛領域Ｓ１，Ｓ２を構成する植毛穴１１の面積を足した値であり、「植毛面積」とは、「ＪＩＳ  Ｓ  ３０１６−１９９５」に準拠したものであり、各植毛領域Ｓ１，Ｓ２の外周に位置する各植毛穴１１の外側を直線で結んだ囲み領域の面積で表される。
【００７５】
本実施形態では、外側植毛領域Ｓ２よりも植毛密度が高く、なお且つ第２のテーパー用毛よりも先端径の太い第１のテーパー用毛からなる中央植毛領域Ｓ１の第１の毛束５ａによって、歯面が効率良く刷掃されると共に、比較的歯茎に当たり易い外側植毛領域Ｓ２に対して、中央植毛領域Ｓ１よりも植毛密度が低く、なお且つ第１のテーパー用毛よりも先端径の細い第２のテーパー用毛からなる第２の毛束５ｂを植設することによって、刷掃時に歯茎に伝わる振動の強さを緩和することができ、口腔内での振動による不快感を軽減できる。
【００７６】
また、植毛密度が高い中央植毛領域Ｓ１の第１の毛束５ａは、第２のテーパー用毛よりも先端径の太い第１のテーパー用毛によって構成されるため、この第１の毛束５ａによる毛腰の強さが良好な振動伝達を生み出し、振動による清掃実感を向上させることが可能となる。
【００７７】
また、本実施形態では、中央植毛領域Ｓ１に植設された第１の毛束５ａの周囲を囲む外周植毛領域Ｓ３に第２の毛束５ｂが植設されている。これにより、奥歯を磨くときに第２の毛束５ｂが全方位で歯茎に接触し易くなり、毛先が歯茎に当たったときの当たり心地を更に良好なものとすることができる。
【００７８】
また、本実施形態では、外側植毛領域Ｓ２に植設された第２の毛束５ｂの毛丈が、中央植毛領域Ｓ１に植設された第１の毛束５ａの毛丈よりも高くなっている。具体的に、第１の毛束５ａの最大高さをｔ１［ｍｍ］、第２の毛束５ｂの最大高さをｔ２［ｍｍ］としたときに、０．５ｍｍ≦ｔ２−ｔ１≦３．０ｍｍの関係を満足することが好ましい。
【００７９】
すなわち、第２の毛束５ｂの最大高さｔ２を第１の毛束５ａの最大高さｔ１よりも高くすることで、第２の毛束５ｂの歯頸部及び歯間部に対する毛先進入性を向上させることが可能である。また、毛先が歯面に当たったときに、毛丈の長い第２の毛束５ｂが自然に開き、毛先が歯頸部にフィットするため、毛先が歯頸部に当たる角度を気にすることなく、簡単な操作で歯頸部の刷掃効果を向上させることが可能である。さらに、毛丈の長い第２の毛束５ｂを歯茎に接触させた際に、この第２の毛束５ｂがクッションの役割を果たすことで、振動を緩衝し、口腔内での振動による不快感を軽減することができる。
【００８０】
したがって、上述した中央植毛領域Ｓ１における第１の毛束５ａと外側植毛領域Ｓ２における第２の毛束５ｂとの毛丈差ｔ２−ｔ１を、０．５〜３．０ｍｍの範囲、より好ましくは０．５〜２．０ｍｍの範囲、更に好ましくは０．５〜１．０ｍｍの範囲とすることで、歯面の清掃性と歯茎への当たり心地を良好なものとすることが可能である。
【００８１】
また、本実施形態では、第１のテーパー用毛の先端径を４０〜８０μｍとし、第２のテーパー用毛の先端径を５〜３０μｍとすることで、歯面の清掃性と歯の隙間における清掃性とをバランスよく両立させることができる。さらに、歯面の清掃と振動に伴う不快感の軽減とを両立させることが可能である。
【００８２】
また、本実施形態では、中央植毛領域Ｓ１に複数の植毛穴１１がヘッド部４の長さ方向に少なくとも２列以上並んで設けられていることが好ましい。これにより、中央植毛領域Ｓ１に第１の毛束５ａがヘッド部４の長さ方向に２列以上並んで植設されることになり、これら第１の毛束５ａによって歯面に対する十分な歯垢除去力と、振動による十分な清掃実感とを得ることができる。
【００８３】
また、本実施形態では、中央植毛領域Ｓ１に植設された第１の毛束５ａの植毛密度をρ１、外側植毛領域Ｓ２に植設された第２の毛束５ｂの植毛密度をρ２としたときに、０．４０≦ρ１≦０．７０、０．２０≦ρ２≦０．４０、１．２≦ρ１／ρ２≦２．４の関係を満足することが好ましい。
【００８４】
本実施形態では、中央植毛領域Ｓ１の植毛密度ρ１を０．４０≦ρ１≦０．７０の範囲、より好ましくは０．５０≦ρ１≦０．６０の範囲とすることで、中央植毛領域Ｓにおける第１の毛束５ａの毛腰を適度に強くする一方、外側植毛領域Ｓ２の植毛密度ρ２を０．２０≦ρ２≦０．４０の範囲、より好ましくは０．３０≦ρ２≦０．４０の範囲とすることで、外側植毛領域Ｓ２における第２の毛束５ｂを適度に撓らせることが可能となる。
【００８５】
また、これら中央植毛領域Ｓ１に植設された第１の毛束５ａの植毛密度ρ１に対する外側植毛領域Ｓ２に植設された第２の毛束５ｂの植毛密度ρ２の比（以下、植毛密度比という。）ρ１／ρ２を１．２〜２．４の範囲とした場合には、外側植毛領域Ｓ２よりも植毛密度が高い中央植毛領域Ｓ１の第１の毛束５ａによって、歯面が効率良く刷掃されると共に、この中央植毛領域Ｓ１よりも植毛密度が低い外側植毛領域Ｓ２の第２の毛束５ｂによって、歯頸部及び歯間部が効率良く刷掃されるため、歯面や歯頸部、歯間部などの細部における歯垢除去力を高めることができる。
【００８６】
なお、本実施形態では、中央植毛領域Ｓ１の先端側及び後端側に位置する植毛穴７ａ，７ｂに、それぞれ第２の毛束５ｂが植設された構成となっているが、第２の毛束５ｂの代わりに第１の毛束５ａが植設された構成としてもよい。また、第１の毛束５ａ及び第２の毛束５ｂについては、上述したテーパー用毛を用いた構成に限らず、毛先に向かって径が一定となるストレート用毛など、任意の刷毛を用いることが可能である。
【００８７】
以上のように、本実施形態の取替ブラシ１Ｂを備えた電動歯ブラシ１では、ヘッド部４の厚みを薄くすることによって、奥歯の高い清掃実感を得ると共に、ヘッド部４の厚みを薄くしたことによる過度な振動を抑制できるため、口腔内での振動による不快感を軽減することが可能である。
【００８８】
なお、本発明は、上記実施形態のものに必ずしも限定されるものではなく、本発明の趣旨を逸脱しない範囲において種々の変更を加えることが可能である。
例えば、上記植毛面４ａにおける毛束５の配置については、上述した図５及び図６に示す構成のものに必ずしも限定されるものではなく、適宜変更を加えることが可能である。
【００８９】
例えば、図７に示す別の配置例では、ヘッド部４の植毛面４ａに千鳥状に並ぶ複数の植毛穴１１のうち、植毛面４ａの中央部分においてヘッド部４の長さ方向に並ぶ３列の植毛穴１１によって中央植毛領域Ｓ１が構成されている。一方、この中央植毛領域Ｓ１を挟んだ両側において、それぞれヘッド部４の長さ方向に並ぶ１列の植毛穴１１によって一対の外側植毛領域Ｓ２が構成されている。
【００９０】
また、外側植毛領域Ｓ２の各植毛穴１１の直径は、中央植毛領域Ｓ１の各植毛穴１１の直径よりも大きくなっている。これにより、図８に示すように、中央植毛領域Ｓ１の各植毛穴１１に植設される第１の毛束５ｃの毛束径よりも、外側植毛領域Ｓ２の各植毛穴１１に植設される第２の毛束５ｄの毛束径が大きくなっている。
【００９１】
また、第１の毛束５ｃの毛丈が第２の毛束５ｄの毛丈よりも高くなっている。第１の毛束５ｃ及び第２の毛束５ｄには、テーパー用毛を用いることができる。なお、第１の毛束５ｃ及び第２の毛束５ｄについては、上述したテーパー用毛を用いた構成に限らず、毛先に向かって径が一定となるストレート用毛など、任意の刷毛を用いることが可能である。
【００９２】
また、ヘッド部４の植毛面４ａには、図示を省略するものの、上述した外側植毛領域Ｓ２に植設された複数の第２の毛束５ｄと共に、中央植毛領域Ｓ１に植設された第１の毛束５ｃの周囲を囲むように、複数の第２の毛束５ｄがヘッド部４の周方向に並んで植設された外周植毛領域が設けられた構成としてもよい。
【００９３】
このような構成とした場合には、第１の毛束５ｃの毛束径よりも第２の毛束５ｄの毛束径を大きくすることで、第２の毛束５ｄが歯茎に接触し易くなるため、この第２の毛束５ｄによる歯茎への圧力を緩和し、歯茎への優しい当たり心地を得ることが可能である。また、刷掃時に歯茎に伝わる振動の不快感を軽減することが可能である。さらに、第１の毛束５ｃの毛丈を第２の毛束５ｄの毛丈よりも高くすることで、歯茎への優しい当たり心地と、歯頸部の清掃性とを両立させることが可能である。
【００９４】
また、例えば、図９に示す別の配置例では、植毛面４ａの中央部分の先端側に複数の第１の毛束５ｅがヘッド部４の長さ方向に並んで植設された中央植毛領域Ｓ１と、植毛面４ａの中央部分の基端側に毛束の無い中央無毛領域Ｓ４と、中央植毛領域Ｓ１及び中央無毛領域Ｓ４を挟んだ両側に複数の第２の毛束５ｆがヘッド部４の長さ方向に並んで植設された外側植毛領域とが設けられている。
【００９５】
第１の毛束５ｅ及び第２の毛束５ｆには、テーパー用毛を用いることができる。なお、第１の毛束５ｅ及び第２の毛束５ｆについては、上述したテーパー用毛を用いた構成に限らず、毛先に向かって径が一定となるストレート用毛など、任意の刷毛を用いることが可能である。
【００９６】
このような構成とした場合には、中央無毛領域Ｓ４を挟んだ両側の第２の毛束５ｆが撓み易くなり、毛先の歯頸部への進入性が高くなる。一方、第１の毛束５ｅ及び第２の毛束５ｆのコシの低下や、疎毛感を抑制できるため、歯垢の掻き取り性を充分に確保することが可能である。さらに、中央無毛領域Ｓ３を挟んだ両側の第２の毛束５ｆが撓むことで、振動を緩衝し、口腔内での振動による不快感を軽減することができる。
【実施例】
【００９７】
以下、実施例により本発明の効果をより明らかなものとする。なお、本発明は、以下の実施例に限定されるものではなく、その要旨を変更しない範囲で適宜変更して実施することができる。【００９８】
（実施例１〜１２及び比較例１〜４）
本実施例では、下記表１に示すように、「ヘッド部の最大厚みＴ［ｍｍ］」、「ネック部の最小厚みＤ［ｍｍ］」、「段差Ｈ［ｍｍ］」、「ヘッド部の先端と支軸の先端との距離Ａ［ｍｍ］」、「ヘッド部の傾きα［°］」、「Ｌ４に対するＬ３の偏倚量［ｍｍ］」、「ヘッド部及びネック部の材質」、「ヘッド幅Ｗ［ｍｍ］」、「ヘッド長さＶ［ｍｍ］」を異ならせた実施例１〜１２及び比較例１〜４の取替ブラシを作製した。なお、モータの回転数については、何れも９０００ｒｐｍとした。また、実施例１〜１２及び比較例１〜４では、何れも「平線植毛法」を用いた。
また、ヘッド部の植毛穴における「直径」は１．６ｍｍ、「行ピッチ」は２．５ｍｍ、「列ピッチ」は２．２ｍｍ（いずれも穴中心間距離）で配置した。上記ピッチを基本として、各ヘッド幅、ヘッド長に合わせて列数・行数を設定し、幅方向に４〜６列、長さ方向に７〜９行とした。
用毛はＰＢＴ樹脂のＳＴ毛、基部径が７．５ｍｉｌのものを１つの植毛穴あたり、２３本植毛した。平線植毛であるため、実質は４６本である。また、毛丈は１２ｍｍとした。【００９９】
そして、これら実施例１〜１２及び比較例１〜４の取替ブラシを用いた電動歯ブラシについて、「奥歯の清掃実感」及び「振動に伴う不快感」についての評価試験を行った。その評価結果を下記表１に示す。【０１００】
なお、「奥歯の清掃実感」の評価試験については、１０人の専門パネラーによる官能評価を行い、奥歯（第二大臼歯）の清掃実感を以下の基準で評価した。
５点：非常に磨きやすい。  
４点：やや磨きやすい。  
３点：どちらでもない。    
２点：やや磨きにくい。  
１点：非常に磨きにくい。  【０１０１】
そして、１０人の専門パネラーによる評価点の平均値を求め、以下の４段階による評価を行った。
◎：４．５以上、５．０点以下  
○：３．５以上、４．５点未満  
△：２．５以上、３．５点未満  
×：２．５点未満  【０１０２】
また、「振動に伴う不快感」の評価試験については、１０人の専門パネラーによる官能評価を行い、刷掃時の振動に伴う不快感を以下の基準で評価した。
５点：振動が全く気にならない。  
４点：振動がほとんど気にならない。  
３点：どちらとも言えない。  
２点：振動がやや気になる。    
１点：振動が非常に気になる。  【０１０３】
そして、１０人の専門パネラーによる評価点の平均値を求め、以下の４段階による評価を行った。
◎：４．５以上、５．０点以下  
○：３．５以上、４．５点未満  
△：２．５以上、３．５点未満  
×：２．５点未満  【０１０４】
【表１】
2019107489.tif 000003
【０１０５】
表１に示す評価結果から、実施例１〜１２の電動歯ブラシは、比較例１〜４の電動歯ブラシと比較して、「奥歯の清掃実感」及び「振動に伴う不快感」の何れの評価も良好な結果を示したことから、総合評価について良好な結果が得られた。  
なお、ヘッド部における植毛穴の配列パターンは、ヘッド幅およびヘッド長さに合わせて設定しているが、何れの配列パターンでも同様の評価が得られた。
【符号の説明】
【０１０６】
１…電動歯ブラシ  １Ａ…歯ブラシ本体  １Ｂ…（電動歯ブラシ用）取替ブラシ  ２…ハンドル部  ３…ネック部  ４…ヘッド部  ４ａ…植毛面  ５…毛束  ５ａ，５ｃ，５ｅ…第１の毛束  ５ｂ，５ｄ，５ｆ…第２の毛束  ６…支軸  ７…植毛穴  ８…振動抑制部  Ｓ１…中央植毛領域  Ｓ２…外側植毛領域  Ｓ３…外周植毛領域  Ｓ４…中央無毛領域
【図１】
2019107489.tif 000004
【図２】
2019107489.tif 000005
【図３】
2019107489.tif 000006
【図４】
2019107489.tif 000007
【図５】
2019107489.tif 000008
【図６】
2019107489.tif 000009
【図７】
2019107489.tif 000010
【図８】
2019107489.tif 000011
【図９】
2019107489.tif 000012
【国際調査報告】
2019107489.tif 000013
2019107489.tif 000014
2019107489.tif 000015
2019107489.tif 000016